(57)【特許請求の範囲】
【請求項１】
動物を収容可能な収容体を複数集合した集合展示施設であって、
複数の前記収容体を環状に配置し、
当該集合展示施設の外周の少なくとも一部は前記収容体の少なくとも一つの内部の状態が視認可能に形成され、
当該集合展示施設の内部には、前記収容体により取り囲まれた所定の内部空間が形成され、
当該集合展示施設の外部と前記内部空間とを繋ぐ通路を設けた
集合展示施設。
【請求項２】
前記集合展示施設の外形はＮ角形（Ｎは３以上の整数）である請求項１記載の集合展示施設。
【請求項３】
前記収容体は、当該集合展示施設の外部に対しては閉塞され、前記内部空間に対しては開放されている請求項１または請求項２記載の集合展示施設。
【請求項４】
隣接する収容体間の少なくとも一部は、仕切られている請求項１ないし請求項３のいずれか記載の集合展示施設。
【請求項５】
前記収容体の内部は少なくとも上下２段に区分され、該区分毎に動物を収容可能である請求項１ないし請求項４のいずれか記載の集合展示施設。
【請求項６】
前記収容体の内部は少なくとも左右２以上に区分され、該区分毎に動物を収容可能である請求項１ないし請求項５のいずれか記載の集合展示施設。
【請求項７】
請求項１ないし請求項６のいずれか記載の集合展示施設であって、
前記収容体は、少なくとも一部が透明な外壁と、該外壁から連設された左右２つの側壁と、該左右の側壁の前端により画定される前面とからなり、
前面外壁の幅よりも前記前面の幅が狭くなるように、前記左右の側壁は形成されており、
前記収容体を複数隣接配置することにより、該収容体を環状に配置した
集合展示施設。
【請求項８】
隣接された収容体の側壁は兼用されている請求項７記載の集合展示施設。
【請求項９】
前記通路には、扉が設けられ、該扉を閉めたとき、前記内部空間は当該集合展示施設の外部とは隔離される請求項１ないし請求項８のいずれか記載の集合展示施設。
【請求項１０】
請求項１ないし請求項９のいずれか記載の集合展示施設を室内に複数個、互いに離間して設けた動物展示室。
【請求項１１】
請求項１ないし請求項９のいずれか記載の集合展示施設を室内に複数個設け、
前記集合展示施設の一部が連設された動物展示室。
【発明の詳細な説明】
【技術分野】
【０００１】
本発明は、動物の展示などに用いる集合展示施設に関する。
【背景技術】
【０００２】
動物を収容可能な収容体を複数集合して、飼育者や管理者による管理を容易にする施設が提案されている（下記特許文献１なし３参照）。こうした施設では、ペットなどの動物を収容する所定の大きさの収容体を複数集合し、施設外壁を透明または開放して顧客から動物を見えるようにしている。また施設の内部には、管理者が歩く通路を設け、動物への給餌、給水、診療などの管理業務を容易にしている。
【先行技術文献】
【特許文献】
【０００３】
【特許文献１】特開２０１０−１３０９９４号公報
【特許文献２】特開２００６−１７０６９１号公報
【特許文献３】特開２００４−１８７６９３号公報
【発明の概要】
【発明が解決しようとする課題】
【０００４】
しかしながら、従来の展示販売用の施設やブースでは、動物を収容するブースや小部屋を通路に沿って配置しているので、管理者が通路に沿って移動しないと、管理業務を遂行できないという問題があった。また、多数の動物が、それぞれのブースに入れられているとはいえ、オープンスペースに収容されるので、一部の動物に病気が発生すると、多数の動物が感染しやすいという課題も指摘されていた。
【課題を解決するための手段】
【０００５】
本発明は、上述の課題の少なくとも一部を解決することを目的としてなされたものであり、以下の形態又は適用例として実現することが可能である。
【０００６】
［適用例１］
動物を収容可能な収容体を複数集合した集合展示施設であって、
複数の前記収容体を環状に配置し、
当該集合展示施設の外周の少なくとも一部は前記収容体の少なくとも一つの内部の状態が視認可能に形成され、
当該集合展示施設の内部には、前記収容体により取り囲まれた所定の内部空間が形成され、
当該集合展示施設の外部と前記内部空間とを繋ぐ通路を設けた
集合展示施設。
【０００７】
かかる集合展示施設では、収容体を環状に配置しているので、外部からは収容体の少なくとも一つについては、内部を容易に視認することができ、他方、通路を介して内部空間に入った飼育者（管理者）は、各収容体に対して容易にアクセスすることができる。なお、環状とは必ずしも完全に閉じている必要はなく、後述する実施例で詳しく説明するように、内部空間への出入り口に必要な部分が切れていても、収容体により取り囲まれた内部空間が形成されるのであれば、差し支えない。展示小間を備えた収容体組立を完全に環状に配置し、内部空間には、例えば床側に設けた通路などで入るようにしても良いし、あるいは少なくとも一つの収容体組立が移動して、内部空間に入る通路を形成する構成などでも良い。
【０００８】
［適用例２］
前記集合展示施設の外形はＮ角形（Ｎは３以上の整数）である適用例１記載の集合展示施設。
外形がＮ角形であれば、内部にＮ個以上の収容体を設けることが容易となる。もとより、Ｎ角形以外の形状、例えば平面円形、楕円形、長円形、異形形状などでも差し支えない。
【０００９】
［適用例３］
前記収容体は、当該集合展示施設の外部に対しては閉塞され、前記内部空間に対しては開放されている適用例１または適用例２記載の集合展示施設。
外部に対して閉塞されていると、収容体に動物を飼育した場合でも、外部に匂いなどが漏れ出ることを抑制することができる。また外部に対して閉塞されていれば、内部で病気などが起きても外部への感染を抑制することができる。また、内部の音などが外部に漏れ出ない構成とすることも容易である。他方、内部空間に対しては開放されていれば、飼育者（管理者）による収容体内部の管理や動物の飼育に必要な処置は容易となる。
【００１０】
［適用例４］
隣接する収容体間の少なくとも一部は、仕切られている適用例１ないし適用例３のいずれか記載の集合展示施設。
こうすれば、収容体を更に細かく分け、一度に飼育や展示する動物の数や種類を増やすことができる。
【００１１】
［適用例５］
前記収容体の内部は少なくとも上下２段に区分され、該区分毎に動物を収容可能である適用例１ないし適用例４のいずれか記載の集合展示施設。
［適用例６］
前記収容体の内部は少なくとも左右２以上に区分され、該区分毎に動物を収容可能である適用例１ないし適用例５のいずれか記載の集合展示施設。
かかる構成を採用すれば、集合展示施設における展示数を容易に増加することができる。
【００１２】
［適用例７］
適用例１ないし適用例６のいずれか記載の集合展示施設であって、
前記収容体は、少なくとも一部が透明な外壁と、該外壁から連設された左右２つの側壁と、該左右の側壁の前端により画定される前面とからなり、
前面外壁の幅よりも前記前面の幅が狭くなるように、前記左右の側壁は形成されており、
前記収容体を複数隣接配置することにより、該収容体を環状に配置した
集合展示施設。
［適用例８］
隣接された収容体の側壁は兼用されている適用例７記載の集合展示施設。
こうした収容体を基本単位とし、これを複数隣接配置することにより、容易に、本願発明の集合展示施設を形成することができる。このとき、収容体の側壁を兼用しても良いし、所定の厚みのある仕切壁を介しても差し支えない。こうした仕切壁には、後述する機能部品を収納しても良い。
【００１３】
［適用例９］
前記収容体の天井、床または側壁に機能部品が設置された適用例１ないし適用例８のいずれか記載の集合展示施設。
［適用例１０］
前記機能部品は、前記収容体内部の状況の検出機能、前記収容体内部の環境の調整機能、前記収容体内部への物品の供給機能の少なくともいずれか一つを行なうものである適用例９記載の集合展示施設。
機能部品としては、様々なものを考えることができ、収容体内部の環境を調整したり、収容体内部に餌や水などを供給するといったことができる。こうした機能部品としては、集合展示施設内部の温度や湿度を一定に保つ空調設備、煙探知機やライト、スピーカー、換気用のファン、人の指示によりあるいは自動的に給餌あるいは給水を行なう給餌装置や給水装置、音を収録するマイクなどの集音装置、映像を撮るカメラやビデオカメラ等の撮像装置、消臭装置、芳香発生装置、薬剤の散布装置などが考えられる。
【００１４】
［適用例１１］
前記通路には、扉が設けられ、該扉を閉めたとき、前記内部空間は当該集合展示施設の外部とは隔離される適用例１ないし適用例１０のいずれか記載の集合展示施設。
集合展示施設の通路に扉を設ければ、集合展示施設の内部空間と外部との連通・遮蔽を容易に実現することができる。
【００１５】
［適用例１２］
適用例１ないし適用例１１のいずれか記載の集合展示施設を室内に複数個、互いに離間して設けた動物展示室。
［適用例１３］
適用例１ないし適用例１１のいずれか記載の集合展示施設を室内に複数個設け、
前記集合展示施設の一部が連設された動物展示室。
かかる動物展示室では、複数の集合展示施設を設けることで、限られたスペースに多数の動物を展示することが可能となる。しかも、各集合展示施設は、独立しているので、内部で病気などが発生しても、他の集合展示施設に与える影響を限定的なものとすることができる。
【図面の簡単な説明】
【００１６】
【図１】本発明の一実施例としての集合展示施設の外観を示す説明図である。
【図２】実施例の集合展示施設の正面図である。
【図３】実施例の集合展示施設の背面図である。
【図４】実施例の集合展示施設の上面図である。
【図５】実施例の集合展示施設に複数設けられた収容体の構造を示す斜視図である。
【図６】収容体を垂直方向に破断して示す断面図である。
【図７】実施例において５つ設けられた収容体の内側を展開して示す説明図である。
【図８】複数の集合展示施設を配置した動物展示室の上面図である。
【図９】集合展示施設の他の実施例の一つを例示する説明図である。
【図１０】集合展示施設の他の形態を例示する説明図である。
【図１１】集合展示施設の他の実施例の一つを例示する説明図である。
【発明を実施するための形態】
【００１７】
本発明の実施の形態を、実施例を挙げて説明する。図１は、第１実施例としての集合展示施設１０の外観を示す斜視図である。また、図２はこの集合展示施設１０の正面図、図３は同じく背面図、図４は同じく上面図である。図示するように、この集合展示施設１０は、天井１２と床１４との間に設置され、ほぼ正六角柱の形状をしている。図示はしていないが、天井１２には空調設備が設けられており、この集合展示施設１０の真上に、空調設備の換気口が位置している。
【００１８】
ほぼ正六角柱の形状をした集合展示施設１０は、図４に示したように、外周の６箇所の角部には、支柱Ｓ１ないしＳ６が設けられている。この支柱Ｓ１〜Ｓ６に内接するように、所定の厚みを有する下部床材７０および上部床材７５が取り付けられている。支柱Ｓ１〜Ｓ６は、天井１２および床１４に固定されている。
【００１９】
集合展示施設１０の外側の６面の一つ（正面部２０という）は、支柱Ｓ１と支柱Ｓ６とにより挟まれたており、ここには、後述する内部空間へ入場するためのドア１５が設けられている。ドア１５は、その内外に設けられたドアノブ１７を操作することで開閉可能である。ドア１５を閉じると、集合展示施設１０の内部と外部は遮断される。ドア１５は、アルミ製の枠体１８に厚さ１０ミリの透明なガラス１９が嵌め込まれている。従って、ドア１５を介して内部を視認することができる。もとより、ドア１５は半透明や不透明としても良い。また自動ドアにすることも差し支えない。正面部２０のドア１５を除いた部分も、図２に示したように、ガラス３１ないし３５が嵌め込まれている。
【００２０】
この集合展示施設１０の外側の残り５面は、正面部２０の右手側から、順に、第１側部２１，第２側部２２，第３側部２３，第４側部２４，第５側部２５を形成している。これらの第１ないし第５側部２１〜２５にも、透明な上部ガラス４１、４５、５１、５５、６１および下部ガラス４３、４７、５３、５７、６３がはめ込まれている。これらのガラスは、いずれも厚さ１０ミリあり、集合展示施設１０は、堅牢な構造となっている。なお、これらの上部ガラスや下部ガラスの一部は、半透明または不透明であっても差し支えないし、透明度を調整可能なガラスであっても差し支えない。こうした透明度を調整可能なガラスとしては、ガラスにカーセルを貼付したものなどがある。カーセルに印加する電圧を調整することで、透明度を調整することができる。
【００２１】
次に、集合展示施設１０の内部構成について説明する。図４に示したように、集合展示施設１０の内部には、第１ないし第５側部２１ないし２５に対応して、５つの収容体組立９１ないし９５が設けられている。各収容体組立の詳細については後述する。外形六角柱の集合展示施設１０の内部には、相似縮小形の内部空間８０が設けられている。収容体組立９１ないし９５の各々は、集合展示施設１０の外形形状からこの内部空間８０を除いた略環状の部分を、中心から放射状にほぼ６等分した一つの形状を有している。収容体組立は全部で５つなので、図４に示したように、６等分した一つは、収容体組立が存在せず、ここはドア１５から内部空間８０への通路７９とされている。
【００２２】
５つの収容体組立９１ないし９５は、すべて同じ形状をしている。このうちの一つ、収容体組立９１を、図５に示した。この収容体組立９１は、外側の支柱Ｓ１，Ｓ２と内部空間８０側の前支柱８４，８５とにより囲まれた台形の柱状形状をしている。平面的には、図４に示したように、内部空間８０側が短辺、外側が長辺となる台形形状となっている。収容体組立９１の内部は、上部床材７５により、上下に分けられており、ペットなどの動物を展示するための上部展示小間２６と下部展示小間９６とが設けられている。この展示小間が、請求項の収容体に相当する。
【００２３】
上部展示小間２６は、上部床材７５、上部ガラス４１、右上部しきり板６８、左上部しきり板７１により取り囲まれ、前面には観音開きの右扉８６ａおよび左扉８６ｂを備えている。左右の前支柱８４，８５の上端の間には、横バー７６が差し渡されており、横バー７６の中央には、上部床材７５との間にセンター支柱７８が設けられている。左右の扉８６ａ，８６ｂは、左右の前支柱８４，８５に蝶番により取り付けられ、それぞれ、前支柱８４，８５、センター支柱７８，横バー７６，上部床材７５により囲まれている枠内に、手前に向かって開閉可能に設けられている。左右扉８６ａ，８６ｂの外側（内部空間８０側）には、開閉用のハンドル８３ａ，８３ｂが設けられており、内側の一部には鏡（図示せず）が貼付され、これを避ける位置に給水（あるいは給餌）皿（図示せず）が設けられている。
【００２４】
上部展示小間２６の中央には、中央しきり板８１が設けられており、上部展示小間２６を、左右に区分している。この中央しきり板８１は、取り外し可能であり、取り外せば一つの展示小間２６として機能し、中央しきり板８１を嵌めれば右上部展示小間２６ａ、左上部展示小間２６ｂとして機能する。この上部展示小間２６は、外側が透明なガラスとなっており、扉の内側に鏡が貼られていることから、外側から、内部で飼育されているペットなどの動物を容易に観察することができる。また中央しきり板８１もガラスなので、外側からは一度に２匹の動物を容易に観察したり比較したりすることができる。
【００２５】
上部展示小間２６の真下に位置する下部展示小間９６は、下部床材７０、下部ガラス４３、右下部しきり板６９、左下部しきり板７３、センター支柱７８により囲まれており、左右扉８７ａ，８７ｂの上の横バーがない点を除いて、上部展示小間２６とほぼ同一の構成を備えている。左右扉８７ａ，８７ｂの外側（内部空間８０側）に開閉用のハンドル８９ａ，８９ｂが設けられており、内側に鏡や給水（あるいは給餌）皿（図示せず）が設けられている点も、上部展示小間２６と同様である。下部展示小間９６には、上部展示小間２６と同様に、ガラス製の中央しきり板が設けられているが、図５では、センター支柱７８の陰になっており、下部展示小間９６用の中央しきり板は、図示されていない。中央しきり板の設置または取り外しにより、右下部展示小間９６ａ，左下部展示小間９６ｂとしても、あるいは一つの下部展示小間９６としても機能する。従って、動物展示の法規制の変更や、あるいは展示する動物の大きさの違い、成長などの変化に対応して、適切な展示小間サイズとすることができる。
【００２６】
この下部展示小間９６も、下部ガラス４３の外側から、内部を容易に視認することができる。扉８７ａ，８７ｂの内側には鏡が設けられており、内部の視認性を高めていることは、上部展示小間と同様である。上部展示小間２６と下部展示小間９６との関係を、側面から示したのが図６である。図示するように、下部展示小間９６の扉の高さは、上部展示小間２６の扉より高いこと、および下部展示小間９６では左右のしきり板６９，７３が下部床材７０から上部床材７５まで覆っていること、などから、下部展示小間９６は、上部展示小間２６より閉塞性が高いものとなっている。他方、上部展示小間２６は、扉の高さが低いこと、左右のしきり板が天井まで届いていないことから、下部展示小間９６、開放性の高いものとなっている。なお、本実施例では、左右の上部仕切板６８，７１および下部仕切板６９，７３は、不透明な木製としたが、透明あるいは半透明のガラスやプラスチックや、鏡としても良い。
【００２７】
また、図６に示したように、天井１２には空調設備９８が、上部床材７５には下部展示小間９６内を照明するライト９９が、それぞれ設けられている。空調設備９８は、集合展示施設１０内部の温度や湿度を一定に保つことができる。天井１２には、こうした空調設備９８の他、煙探知機やライト、スピーカー、などの機能部品を設けても良い。また、上部床材７５にライト９９が設けられていることから、上部展示小間２６より暗くなりがちな下部展示小間９６を明るく照らしている。なお、ライト９９に代えて、あるいはライト９９と共に、他の機能部品、例えば、換気用のファン、スピーカー、煙探知機などを設けてもよい。こうした機能部品は、天井１２や上部床材７５だけでなく、下部床材７０に設けても良い。また、両隣の収容体組立間に空間を設け、ここに機能部品を設けても良い。機能部品としては、このほか、人の指示によりあるいは自動的に給餌あるいは給水を行なう給餌装置や給水装置、音を収録するマイクなどの集音装置、映像を撮るカメラやビデオカメラ等の撮像装置、消臭装置、芳香発生装置、薬剤の散布装置などを用いることもできる。
【００２８】
以上、収容体組立９１ないし９５のうち、第１収容体組立９１について説明した。収容体組立９１ないし９５は、図４に示したように、内部空間８０を取り囲むように設けられている。従って、内部空間８０に入ると、図７に示したように、第１ないし第５収容体組立９１ないし９５は、等距離に存在し、ほとんど移動することなく、扉を開け閉めして、展示小間にアクセスすることができる。なお、各扉は木製なので、内部の動物が対面の収容体組立の展示小間内の動物を見て興奮するといったことはないが、内部空間８０の飼育者は、扉上部の開放部を介して、展示小間内の様子を見ることができる。飼育者は、扉を開けて、展示小間に置かれた皿８２や扉内側の給水皿に給水したり、給餌したり、動物に直接触れて、ミルクを飲ませたり診察などを行なうことができる。
【００２９】
以上説明した集合展示施設１０は、内部に最大２０個の展示小間を備え、かつ外側からはガラスを通して、内部の動物を容易に観察することができる。ドア１５をしめた状態では、動物が展示または飼育されている展示小間の空間は、外部とは遮断されており、しかも天井１２の空調設備９８により、内部の空気調和がなされている。従って、動物の飼育に伴って生じる臭いなどは、外部では、ほとんど感じられない。一方、ドア１５を開け、通路７９を通って内部空間８０に入れば、各展示小間へのアクセスは容易であり、例えば、展示された動物をガラス越しに見た購入予定者が希望するペットを管理者が取り出して、集合展示施設１０の外に連れ出すことも容易である。
【００３０】
図８は、動物の展示室１１５内に、２つの集合展示施設１０，１１０，１１２を配置した様子を示す説明図である。本実施例の集合展示施設１０等は、ほぼ六角柱の形状をしているので、室内に効率よく配置することができる。ドアの方向は、図８に例示したように、それぞれ異なる方向としても良いし、同方向、あるいは互いに対向する方向としても良い。ペットの購入などを希望する顧客は、集合展示施設１０，１１０，１１２の外側を歩きながら、必要に応じて立ち止まり、展示小間内の動物を眺めることができる。図８に示した展示室１１５の例では、３基の集合展示施設が配置されているので、室内を巡るだけで、最大２０×３＝６０の展示小間に収容された動物を見ることができる。
【００３１】
しかも、実施例の集合展示施設は、それぞれの独立性が高く、内部が外部に対して遮蔽されているので、一つの集合展示施設で病気などが発生しても、他の集合展示施設への影響は限定的なものとなる。また、動物、特に集団性の強い動物では、一頭がパニックになると、他の動物に伝搬しやすいが、集合展示施設の外部には、音や匂いなどが漏れないので、こうした状況が他の集合展示施設に伝搬することがない。また、給餌などの際にも、集合展示施設一つずつ、給餌が行なわれるので、餌（食事）の匂いなどの影響も、集合展示施設内に限られる。
【００３２】
以上本発明の一実施例について説明したが、本発明はこうした実施例に限られず、種々なる態様で実施できることはもちろんである。例えば、図９に示すように、集合展示施設を断面円形とすることも差し支えない。この場合、外側のガラスは曲面ガラスとすればよい。内部はいくつに区分しても差し支えないが、図９に示した集合展示施設１５０では、上記実施例に合わせて、第１ないし第５収容体組立１３１ないし１３５に区分した。この場合、内部空間１４０も概ね円形としたが、各収容体組立１３１ないし１３５を内部空間１４０側を平面にすれば、内部空間１４０の平面形状は、図４に示した実施例と同様になる。なお、図９の例では、ドア１４５も曲面形状としたが、ドア１４５を設ける外周面のみ平面として、上記実施例と同様のドアとしても良い。
【００３３】
上記実施例では、集合展示施設１０の外周は、上部ガラスと下部ガラスに分けたが、上から下まで一枚のガラスとしてもよい。また、ガラスに代えて強化プラスチックなどを用いることもできる。上記実施例では、各集合展示施設は、床１４と天井１２との間に設置し、集合展示施設の上面は天井で仕切るものとしたが、各集合展示施設毎に天井板を設けても良い。各集合展示施設を一つずつ独立したものとして構成すれば、下部床材７０にキャスタなどを設置し、移動可能あるいは回転可能としても良い。移動や回転ができれば、展示室外の通路を通り過ぎる通行人に、時として異なる集合展示施設や同じ集合展示施設であっても異なる展示小間を見せることができ、好適である。
【００３４】
上記実施例の集合展示施設では、内部を上下２段として、複数の展示小間を配置しているが、上下２段以外の構成、例えば一段、あるいは３段以上に区切っても良い。実施例の集合展示施設１０は、床１４から天井１２まで一階分の高さとしたが、数階分の高さとし、外部と内部に螺旋階段を設け、展示小間を何層にも構成しても良い。
【００３５】
集合展示施設の形状は、実施例の六角形以外に、三角形、四角形、五角形など、Ｎ角形（Ｎは３以上の整数）とすることができ、あるいは円形や楕円形、長円形なども差し支えない。内部の収容体が、環状に配列されれば良い。なお、ここで言う環状とは必ずしも閉じている必要はなく、実施例に示したように、そのうちの内部空間への出入り口に必要な部分が切れていても差し支えない。展示小間を備えた収容体組立を完全に環状に配置し、内部空間には、例えば床側に設けた通路などで入るようにしても良い。あるいは少なくとも一つの収容体組立が移動して、内部空間に入る通路を形成するものとしても良い。
【００３６】
集合展示施設は、六角形や円形などの幾何学的な形状にこだわらず、異形形状であっても差し支えない。更に、外部の形状と内部の分割の数や位置は異なってもよい。集合展示施設の内部形状の各例を、図１０（Ａ）ないし（Ｄ）に示した。図１０（Ａ）（Ｂ）は、平面Ｎ角形の集合展示施設内を、放射線状に分割して展示小間を設けた例であり、図１０（Ｃ）（Ｄ）は、平面Ｎ角形の集合展示施設内を、Ｎ角形の形状とは無関係に分割して展示小間を設けた事例を示している。図１０において、符号ＤＲは、内部空間ＩＳに至る通路ＰＷの入口に設けられたドアを示している。
【００３７】
上記実施例では、各展示小間の内部空間側には、観音開きの扉を設けたが、扉は左右の展示小間共通に一枚としても良い。また手前に開くドロアタイプとしても良い。更には、扉とせず単なる仕切としても良い。また、展示小間全体が抽斗のように、手前に引き出せる構成としても良い。この場合、展示小間は外側に向かって幅広の構成となっているので、図１１に示すように、隣接する展示小間２１１〜２１５の間に仕切壁２００を設け、展示小間を長方形とすればよい。図１１の例では、展示小間２１１〜２１５の各々を抽斗のように構成し、把手２３０を設けて、引き出すようにしている。仕切壁２００は、単なる仕切用の壁であって差し支えないが、内部に種々の機能部品を組み込んでも良い。例えば、自動給餌、自動給水装置などを組み込むことも可能である。
【００３８】
図８に示した展示室１１５では、３基の集合展示施設はそれぞれ完全に独立した配置としたが、少なくとも一部の集合展示施設をその一角あるいは一辺で接する配置とすることも可能である。
【符号の説明】
【００３９】
１０，１１０，１１２…集合展示施設
１２…天井
１４…床
１５…ドア
１７…ドアノブ
１８…枠体
１９…ガラス
２０…正面部
２１〜２５…第１〜第５側部
２６…上部展示小間
２６ａ…右上部展示小間
２６ｂ…左上部展示小間
３１〜３５…ガラス
４１，４５，５１，５５，６１…上部ガラス
４３，４７，５３，５７，６３…下部ガラス
６８…右上部仕切板
６９…右下部仕切板
７０…下部床材
７１…左上部仕切板
７３…左下部仕切板
７５…上部床材
７６…横バー
７８…センター支柱
７９…通路
８０…内部空間
８１…仕切板
８２…皿
８３ａ，８３ｂ…ハンドル
８４，８５…前支柱
８６ａ，８６ｂ…左右扉
８７ａ，８７ｂ…左右扉
８９ａ，８９ｂ…ハンドル
９１〜９５…第１〜第５収容体組立
９６…下部展示小間
９６ａ…右下部展示小間
９６ｂ…左下部展示小間
９８…空調設備
９９…ライト
１１５…展示室
１３１〜１３５…第１〜第５収容体組立
１４０…内部空間
１４５…ドア
１５０…集合展示施設
２００…仕切壁
２１１〜２１５…展示小間
２３０…把手
Ｓ１〜Ｓ６…支柱
【要約】
【課題】動物展示の効率を高め、かつ動物を収容する収容体の内部を見ることができ、収容体内部への係員のアクセスを容易とする。
【解決手段】動物を収容可能な収容体を複数集合した集合展示施設であり、複数の前記収容体を環状に配置し、この集合展示施設の外周の少なくとも一部は透明なガラス張りとされており、収容体の内部の状態を容易に視認することができる。さらに集合展示施設の内部には、収容体により取り囲まれた所定の内部空間が形成され、この集合展示施設の外部と前記内部空間とを繋ぐ通路を設けている。
【選択図】図１【図１】
0004674270.tif 000002
【図２】
0004674270.tif 000003
【図３】
0004674270.tif 000004
【図４】
0004674270.tif 000005
【図５】
0004674270.tif 000006
【図６】
0004674270.tif 000007
【図７】
0004674270.tif 000008
【図８】
0004674270.tif 000009
【図９】
0004674270.tif 000010
【図１０】
0004674270.tif 000011
【図１１】
0004674270.tif 000012